(57)【要約】【課題】  施錠装置の鍵穴を覆うカバーと把手とが見栄え良く設けられて成る開口部装置を提供する。【解決手段】  本発明の開口部装置は、建物の開口に設けられる枠体と、この枠体内に開閉自在に設けられるドア本体１とを備え、ドア本体１には、縦長の把手２と、施解錠可能な施錠装置６と、施錠装置６の鍵穴６ａを覆うカバー３とが設けられ、把手３とカバー２とが面一で且つほぼ隙間無く連続的に設けられている。これにより、施錠装置６の鍵穴６ａを覆うカバー２と把手３とを見栄え良くドア本体１に設けることができる。【選択図】      図２
2006225952.tif 000002
【特許請求の範囲】
【請求項１】
建物の開口に設けられる枠体と、この枠体内に開閉自在に設けられるドア本体とを備え、前記ドア本体には、縦長の把手と、施解錠可能な施錠装置と、施錠装置の鍵穴を覆うカバーとが設けられ、前記把手と前記カバーとが面一で且つほぼ隙間無く連続的に設けられていることを特徴とする開口部装置。
【請求項２】
前記カバーは、ボックス状を成しているとともに、前記ドア本体に対して略垂直な軸を有し、
前記カバーを前記軸に沿って移動させるとともに前記軸を中心に回動させることにより、前記施錠装置の鍵穴が露出するようになっていることを特徴とする請求項１に記載の開口部装置。
【請求項３】
前記把手の上下にそれぞれ前記施錠装置および前記カバーが設けられるとともに、前記各カバーに隣接して化粧パネルが設けられ、前記把手と前記カバーと前記化粧パネルとが前記ドア本体の上下方向にわたって面一で且つほぼ隙間無く連続した直線状に配置されていることを特徴とする請求項１または請求項２に記載の開口部装置。
【発明の詳細な説明】
【技術分野】
【０００１】
本発明は、建物の開口に取り付けられる玄関ドア等の開口部装置に関する。
【背景技術】
【０００２】
一般に、ドアは、建物の開口に設けられる枠体と、この枠体内にヒンジを介して開閉自在に設けられるドア本体とを備えている。また、このドア本体には、一般に、把手と、施解錠可能な施錠装置とが設けられている（例えば、特許文献１および特許文献２参照）。更に、防犯等の理由から、施錠装置の鍵穴を覆うカバーが設けられている場合もある（例えば、特許文献３参照）。
【０００３】
【特許文献１】特開２００３−２１３９８０号公報
【特許文献２】特開２００４−２７７１６号公報
【特許文献３】特開２００１−２７１５２３号公報
【発明の開示】
【発明が解決しようとする課題】
【０００４】
ところで、前述したように、施錠装置の鍵穴を覆うカバーと把手とがドア本体に設けられているドア（開口部装置）にあっては、一般に、前記カバーと把手とが個別に離間して設けられているため、見栄えが悪く、ドア本体の外観を損ねてしまう場合もあり、改善が望まれている。
【０００５】
本発明は、前記事情に鑑みて為されたもので、施錠装置の鍵穴を覆うカバーと把手とが見栄え良く設けられて成る開口部装置を提供することを目的とする。
【課題を解決するための手段】
【０００６】
前記目的を達成するために、請求項１に記載の開口部装置は、建物の開口に設けられる枠体と、この枠体内に開閉自在に設けられるドア本体とを備え、前記ドア本体には、縦長の把手と、施解錠可能な施錠装置と、施錠装置の鍵穴を覆うカバーとが設けられ、前記把手と前記カバーとが面一で且つほぼ隙間無く連続的に設けられていることを特徴とする。
【０００７】
この請求項１に記載の発明においては、把手とカバーとが面一で且つ略隙間無く連続的に設けられているため、把手とカバーとに対して一体性を与えることができ、見栄えが非常に良く、購買意欲を喚起することもできる。
【０００８】
また、請求項２に記載の開口部装置は、請求項１に記載された開口部装置において、前記カバーは、ボックス状を成しているとともに、前記ドア本体に対して略垂直な軸を有し、前記カバーを前記軸に沿って移動させるとともに前記軸を中心に回動させることにより、前記施錠装置の鍵穴が露出するようになっていることを特徴とする。
【０００９】
この請求項２に記載の発明においては、カバーをドア本体と略垂直な軸に沿って移動させるとともに前記軸を中心に回動させることにより、施錠装置の鍵穴が露出するようになっているため、把手とカバーとが面一で且つほぼ隙間無く連続的に設けられている場合であっても、把手によってカバーの動きが阻害されることなく、カバーを容易に動かして施錠装置の鍵穴を露出させ或いは覆い隠すことができる。
【００１０】
また、請求項３に記載の開口部装置は、請求項１または請求項２に記載された開口部装置において、前記把手の上下にそれぞれ前記施錠装置および前記カバーが設けられるとともに、前記各カバーに隣接して化粧パネルが設けられ、前記把手と前記カバーと前記化粧パネルとが前記ドア本体の上下方向にわたって面一で且つほぼ隙間無く連続した直線状に配置されていることを特徴とする。
【００１１】
この請求項３に記載の発明においては、把手とカバーと化粧パネルとがドア本体の上下方向にわたって面一で且つほぼ隙間無く連続した直線状に配置されているため、非常に斬新なデザインを与えることができ、見栄えの良い外観形状を得ることができる。
【発明の効果】
【００１２】
本発明の開口部装置においては、把手とカバーとが面一で且つほぼ隙間無く連続的に設けられているため、施錠装置の鍵穴を覆うカバーと把手とを見栄え良くドア本体に設けることができる。
【発明を実施するための最良の形態】
【００１３】
以下、図面を参照しながら、本発明の実施形態について説明する。
図１に示すように、本発明の実施形態に係る開口部装置は、建物の開口に設けられる枠体（図示せず）内に、開閉自在に設けられるドア本体１を有している。ドア本体１は、例えば、アルミニウム合金の押出形材から成る矩形枠状に組み付けられた芯材（框体）と、これらの矩形枠状の芯材内に配置される断熱材と、断熱材の両面に貼り付けられる表面材とから主に構成されている。
【００１４】
図１および図２の（ａ）に示すように、ドア本体１には、縦長の把手２が設けられている。このような縦長の把手を有するドアによれば、ドア本体１の開閉操作を容易に行なうことができ、操作性の向上が図れる。
【００１５】
また、把手２の上下にはそれぞれ、施解錠可能な施錠装置６，６と、各施錠装置６，６の鍵穴６ａをそれぞれ覆うカバー３，３とが設けられている。また、各カバー３の上下にそれぞれ隣接して化粧パネル４，４も設けられている。本実施形態において、施錠装置６は例えばシリンダ錠から成る。具体的には、棒状または鎌状の係止部材が係合離脱される受座を前記枠体に設け、鍵操作により連動してドア本体１内に設けられた錠の前記係止部材を前記受座に係合離脱させる施解錠可能なシリンダをドア本体１の室外面に設けるとともに、摘み操作により連動して前記係止部材および前記受座に係合離脱させる施解錠可能なサムターンをドア本体１の室内側に設けている。このサムターンにより就寝時等に室内側から施錠できるようになっている。
【００１６】
図１および図２の（ａ）に示すように、把手２およびカバー（シリンダカバー）３，３は、互いに面一で且つほぼ隙間無く連続的に設けられている。特に、本実施形態においては、把手２とカバー３，３と化粧パネル４，４とがドア本体１の上下方向にわたって面一で且つほぼ隙間無く連続した直線状に配置されている。把手２とカバー３、およびカバー３と化粧パネル４との間の各隙間は、例えば、２ｍｍ程度に設定されている。
【００１７】
カバー３，３は、ボックス状を成しているとともに、ドア本体１に対して略垂直な軸を有しており、カバー３を前記軸に沿って移動させるとともに前記軸を中心に回動させることにより、施錠装置６の鍵穴６ａが露出するようになっている。
【００１８】
具体的には、カバー３は、図３に示すように、室外に面するドア本体１の外面に設けられたカバー支持体１０に支持されている。カバー支持体１０は、図３および図５に示すように、ドア本体１の外面に対して略垂直に立ち上がる中空円筒状の軸部１１と、軸部１１の外周に沿って円弧状に延びる一対の周壁１２とを有している。また、カバー支持体１０には、施錠装置６の鍵穴６ａを開口させるための円形の開口部１３も形成されている。一方、カバー３は、図３および図４に示すように、カバー支持体１０の軸部１１内に挿通される軸部材１５と、カバー支持体１０の周壁１２と係合する一対の係合部材１６とを有している。軸部材１５の先端部には、軸部１１からの軸部材１５の抜けを防止するための抜け止め部材１９がビス２６により固定されている。また、抜け止め部材１９と軸部１１の先端部との間には、圧縮コイルバネ（付勢部材）２０が介挿されている。この圧縮コイルバネ２０は、抜け止め部材１９を軸部１１の底面に押し当てる方向すなわちカバー３をカバー支持体１０の全周にわたって接触させてカバー３によって施錠装置６の鍵穴６ａを閉じる方向に常時付勢している。また、係合部材１６と当接する周壁１２の端面は、係合部材１６と摺接してこれを周方向に案内するガイド面２１として形成されている。更に、ガイド面２１の中央には、係合部材１６の先端に設けられた突起２４と係合する係合溝２５が形成されている。
【００１９】
したがって、係合溝２５に突起２４が係合し圧縮コイルバネ２０の付勢力によってカバー３とカバー支持体１０とが全周にわたって密着している状態（図３の（ａ）および図２の（ｂ）に示す状態）から、圧縮コイルバネ２０の付勢力に抗してカバー３を手で握って引張ると、圧縮コイルバネ２０が圧縮されるとともに、図３の（ｂ）に示すように係合溝２５と突起２４との係合状態が解除される。そして、この状態からカバー支持体１０の周壁１２のガイド面２１に沿って係合部材１６が摺接して案内されるようにカバー３を軸部１１を中心に左右のいずれか一方に回動させると、図２の（ｃ）に示すように施錠装置６の鍵穴６ａを露出させることができる。また、この状態から先に説明した操作と逆の操作を行なえば、圧縮コイルバネ２０の付勢力により、簡単に図２の（ｂ）の状態に戻すことができる。なお、カバー３の回動範囲は、図６に示すように、ガイド面２１の周方向長さに対応する所定の角度θにわたって可能である。
【００２０】
以上説明したように、本実施形態の開口部装置においては、把手２とカバー３とが面一で且つほぼ隙間無く連続的に設けられているため、把手２とカバー３とに対して一体性を与えることができ、見栄えが非常に良く、購買意欲を喚起することもできる。
【００２１】
また、本実施形態の開口部装置においては、カバー３をドア本体１と略垂直な軸部１１に沿って移動させるとともに軸部１１を中心に回動させることにより、施錠装置６の鍵穴６ａが露出するようになっているため、把手２とカバー３とが面一で且つほぼ隙間無く連続的に設けられている場合であっても、把手２によってカバー３の動きが阻害されることなく、カバー３を容易に動かして施錠装置６の鍵穴６ａを露出させ或いは覆い隠すことができる。
【００２２】
また、本実施形態の開口部装置においては、把手２とカバー３と化粧パネル４とがドア本体１の上下方向にわたって面一で且つほぼ隙間無く連続した直線状に配置されているため、非常に斬新なデザインを与えることができ、見栄えの良い外観形状を得ることができる。
【産業上の利用可能性】
【００２３】
本発明は、建物の開口に開閉可能に取り付けられる玄関ドア等の様々な開口部装置に適用することができる。
【図面の簡単な説明】
【００２４】
【図１】（ａ）は本発明の実施形態に係るドア本体の側面図、（ｂ）はドア本体の正面図である。
【図２】（ａ）はドア本体の部分斜視図、（ｂ）はカバーが閉じられている状態を示す斜視図、（ｃ）はカバーが開放されている状態を示す斜視図である。
【図３】（ａ）はカバーが閉じられている状態を示す断面図、（ｂ）はカバーをカバー支持体から離間させた状態を示す断面図である。
【図４】カバーの斜視図である。
【図５】カバー支持体の斜視図である。
【図６】カバーの回動範囲を示す平面図である。
【符号の説明】
【００２５】
１    ドア本体
２    把手
３    カバー
４    化粧パネル
６    施錠装置
６ａ    鍵穴
【図１】
2006225952.tif 000003
【図２】
2006225952.tif 000004
【図３】
2006225952.tif 000005
【図４】
2006225952.tif 000006
【図５】
2006225952.tif 000007
【図６】
2006225952.tif 000008